(57)【要約】
【課題】　ホームコタツ内において人間の手足が電源コードに引っ掛かることを防止する、又は引っ掛けたとしても外れ難いコードストッパーを提供すること。
【解決手段】　ゴム等の弾性材料からなり、柱状体を呈するコードストッパー１であって、電源コード１０を嵌合可能に構成された円形収納部６と、前記電源コード１０を円形収納部６に嵌合する際に、電源コード１０が通る入口部３と、入口部３の両側に配され、円形収納部６に嵌合された電源コード１０を狭持可能に構成された規制部５とが、それぞれ柱状体の長手方向に沿って形成されていることを特徴とするコードストッパー１。
【選択図】　　　　図１
0003100283.tif 000002
【実用新案登録請求の範囲】
【請求項１】
ゴム等の弾性材料からなり、柱状体を呈するコードストッパーであって、
　電源コードを嵌合可能に構成された円形収納部と、
　前記電源コードを前記円形収納部に嵌合する際に、前記電源コードが通る入口部と、
　前記入口部の両側に配され、前記円形収納部に嵌合された前記電源コードを狭持可能に構成された規制部とが、
　それぞれ前記柱状体の長手方向に沿って形成されたことを特徴とするコードストッパー。
【請求項２】
前記コードストッパーを取付面に取り付るための取付部を備え、
　前記取付部が前記入口部と対向する側に設けられたことを特徴とする請求項１記載のコードストッパー。
【請求項３】
前記入口部の最も狭くなる箇所の幅寸法が、前記電源コードの直径の５０〜７０％である請求項２記載のコードストッパー。
【請求項４】
前記コードストッパーは、ホームコタツの桟に取り付け可能に構成されると共に、
　前記コードストッパーの長手方向の長さが、前記ホームコタツのプラグ差込位置から前記ホームコタツの端部までの寸法に対して、２０〜５０％の寸法に設定されたことを特徴とする請求項３記載のコードストッパー。
【考案の詳細な説明】
【技術分野】
【０００１】
　本考案はコードストッパーに関し、特にホームコタツの電源コードを固定することに有用である。
【背景技術】
【０００２】
　従来、ホームコタツには、電源コードのコードストッパーとして、図４に示すような形状を呈するフックが取り付けられており、一般にホームコタツの足の付け根に取り付けられている。
【０００３】
　また、ゴム等の弾性材料からなるコードストッパーとしては、実開平６−５４２５２号公報に、本体をＵ字形フック状に形成して、コンセントの近くの垂直な取付板面に固着し、電源コードを該Ｕ字形内に嵌めて挟着し得るように構成するものが開示されている。
【考案の開示】
【考案が解決しようとする課題】
【０００４】
　しかしながら、ホームコタツ内という使用環境においては、人間の手足が無造作に動き回ることもあり、電源コードを引っ掛けしまうことが頻繁にあった。
【０００５】
　特に、図４に示すような従来のフック形コードストッパーにおいては、電源プラグの差込位置から該フック形コードストッパーまでの間は電源コードが弛んだ状態で使用されることが多く、人間が誤って手足を引っ掛け、電源プラグが抜け落ちたり、電源コードが千切れたりすることがあった。
【０００６】
　また、実開平６−５４２５２号公報に記載されたコードストッパーをホームコタツ内で使用するにあたっては、該コードストッパーを複数個使用して、電源コードを弛ませない状態にすることで、人間の手足が電源コードを引っ掛けないようにする必要がある。更に、電源コードを狭持する領域が少ないため、例えば、電源コードをＵ字形フックの開放側に引っ張る力が作用すると簡単に外れてしまう。
【０００７】
　そこで、本考案の目的は、ホームコタツ内において人間の手足が電源コードに引っ掛かることを防止する、又は引っ掛けたとしても外れ難いコードストッパーを提供することにある。
【課題を解決するための手段】
【０００８】
　上記目的を達成するため、本考案のコードストッパーは、ゴム等の弾性材料からなり、柱状体を呈するコードストッパーであって、電源コードを嵌合可能に構成された円形収納部と、前記電源コードを前記円形収納部に嵌合する際に、前記電源コードが通る入口部と、前記入口部の両側に配され、前記円形収納部に嵌合された前記電源コードを狭持可能に構成された規制部とが、それぞれ前記柱状体の長手方向に沿って形成されている。
【０００９】
　本考案に係るコードストッパーによれば、電源コードは入口部を通って円形収納部に嵌合されると共に、その入口部の両側に配された規制部によって狭持されるため、電源コードを確実に固定することができる。しかも、電源コードが嵌合される円形収納部は、コードストッパーの長手方向に沿って形成されているため、電源コードを弛ませることなく固定することができる。その結果、人間の手足が電源コードを誤って引っ掛けることを防ぎ、電源プラグの抜け落ちや、電源コードが千切れることによる感電等を防止することができる。また、係るコードストッパーはゴム等の弾性材料からなるため、手足をぶつけても痛めることがない。
【００１０】
　上記において、前記コードストッパーを取付面に取り付るための取付部を備え、前記取付部が前記入口部と対向する側に設けられたものであることが好ましい。
【００１１】
　取付部が入口部と対向する側に設けられていることにより、コードストッパーを取付面に容易に取り付ることができる。例えば、コードストッパーをビス止めする場合には、ビス及び工具を入口部から挿入することができるので、容易に取り付けることができる。
【００１２】
　上記において、前記入口部の最も狭くなる箇所の幅寸法が、前記電源コードの直径の５０〜７０％であることが好ましい。
【００１３】
　前記幅寸法が、電源コードの直径の５０％未満であると、その寸法差によって、入口部に電源コードを通し難くなる。一方、７０％を超えると、円形収納部に嵌合された電源コードが外れ易くなる。従って、前記幅寸法を上記範囲に設定することにより、電源コードを円形収納部に嵌合する際、入口部に電源コードを好適に通すことができる。加えて、円形収納部に嵌合された電源コードは、規制部によって好適に狭持されて外れ難くなる。
【００１４】
　上記において、前記コードストッパーは、ホームコタツの桟に取り付け可能に構成されると共に、前記コードストッパーの長手方向の長さが、前記ホームコタツのプラグ差込位置から前記ホームコタツの端部までの寸法に対して、２０〜５０％の寸法に設定されたものであることが好ましい。
【００１５】
　前記長さ寸法が、ホームコタツのプラグ差込位置から端部までの寸法に対して２０％未満であると、ホームコタツ内で電源コードを弛ませずに固定することが困難になり、人間の手足が引っ掛かり易くなる。一方、５０％を越えると、電源プラグの差込位置からコードストッパーまで、或いはコードストッパーからホームコタツの端部までの距離が短くなるため、電源コードを固定する際に曲率を大きくして曲げることになり、好ましくない。従って、前記長さ寸法を上記範囲に設定することにより、ホームコタツ内で電源コードを好適に弛ませることなく固定することができる。その結果、ホームコタツ内にある人間の手足が電源コードを引っ掛けることを防ぎ、電源プラグの抜け落ちや、電源コードが千切れることによる感電等を防止することができる。
【考案を実施するための最良の形態】
【００１６】
　以下、本考案の実施の形態について、図面を参照しながら説明する。図１は、本考案に係るコードストッパーの一例を示す斜視図である。本実施形態に係るコードストッパー１は、図１に示すような断面形状を有する柱状体を呈する。電源コード１０は、コードストッパー１の長手方向に沿って形成された入口部３を通って、円形収納部６に嵌合される。そして、入口部３の両側に配された規制部５が、円形収納部６に嵌合された電源コード１０を、その弾性により、狭持するように構成されている。
【００１７】
　図２に、コードストッパー１の使用態様を表した図を示す。図２に示したように、コードストッパー１はホームコタツ２の桟８の側面に取り付けることが好ましい。これにより、ホームコタツ２のプラグ差込位置９からホームコタツ２の端部までの間において、電源コード１０を弛ませることなく固定することができる。その結果、ホームコタツ２内にある人間の手足が電源コード１０に引っ掛かることを防止することができる。又は、引っ掛けたとしても、電源コード１０が外れ難いので、電源プラグ１１の抜け落ち等を防止することができる。
【００１８】
　尚、コードストッパー１をホームコタツ２の桟８の側面に取り付けるにあたり、図１に示したコードストッパー１の各寸法を以下の数値に設定することが好ましい。
寸法ａ：２０ｍｍ≦ａ≦３０ｍｍ、
寸法ｂ：２０ｍｍ≦ｂ≦３０ｍｍ、
寸法ｃ：０ｍｍ≦（電源コードの直径−ｃ）≦１ｍｍ、
寸法ｄ：電源コードの直径に対して５０〜７０％、
寸法ｅ：ホームコタツのプラグ差込位置からホームコタツの端部までの距離に対して２０〜５０％。
【００１９】
　更に、コードストッパー１は、ゴム等の弾性材料からなるため、ホームコタツ２内にある人間の手足をぶつけても痛めることがない。ここで、弾性材料としては、エチレンプロピレンゴム（ＥＰＤＭ）や、クロロプレンゴム（ＣＲ）等のゴム材料が例示され、滑り難く安価なスチレン・ブタジエンゴム（ＳＢＲ）が特に好ましいが、これらのゴム材料に限定されず、各種弾性材料を含む。
【００２０】
　ホームコタツ２の桟８の側面に取り付けたコードストッパー１の平面図を図３（ａ）に、図３（ａ）におけるＡ−Ａ断面図を図３（ｂ）にそれぞれ示す。本考案に係るコードストッパー１では、図３に示すように、取付部４が入口部３と対向する側に設けられていることが好ましい。このような構成にすることにより、工具等を入口部３から挿入することができ、コードストッパー１の取付け又は取外しを容易に行うことができる。図３の例では、入口部３と対向する側に座繰加工を施した貫通孔が設けられ、該貫通孔に挿入された木ネジ７により取り付けられている。座繰加工を施すことにより、木ネジ７の頭部を円形収納部６に残さず、電源コード１０を好適に嵌合することができる。また、木ネジ７を使用することにより、金属ネジのようにヒーター１２からの熱を蓄熱することがないので、安全性が高められる。
【００２１】
　尚、本考案に係るコードストッパー１をホームコタツ２の桟８に取り付けるにあたっては、本実施形態のように桟８の側面に限られず、例えば、桟８の下側に取り付けるものであってもよい。或いは、桟８の側面の一部にくぼみを設け、該くぼみの中にコードストッパー１を嵌合する構成にしてもよい。これにより、コードストッパー１の設置スペースを省略することができる。
【図面の簡単な説明】
【００２２】
【図１】本考案に係るコードストッパーの一例を示す斜視図
【図２】本実施形態に係るコードストッパーの使用態様を示す図
【図３】取付面に取り付けたコードストッパーを示す図
【図４】従来のフック形コードストッパーを示す平面図
【符号の説明】
【００２３】
１　　　コードストッパー
２　　　ホームコタツ
３　　　入口部
５　　　規制部
６　　　円形収納部
８　　　ホームコタツの桟
１０　　電源コード
１２　　ヒーター　
【図１】
0003100283.tif 000003
【図２】
0003100283.tif 000004
【図３】
0003100283.tif 000005
【図４】
0003100283.tif 000006